(57)【要約】      （修正有）【課題】バッグの大きさを変えることのできるトートバッグを提供する。【解決手段】バッグ本体に上部の持ち手と中央部の持ち手を設け、バッグ本体中央部の脇についているショルダー掛けループにショルダーベルトのＪ型管がつけられていることを特徴とする。【選択図】なし【実用新案登録請求の範囲】
【請求項１】
布製トートバッグ（後はバッグと言う）に従来の持ち手と中央部の持ち手と２つもち手をつけ、荷物が少なくなった時、上部を半分に折り、または上部を中に折入れて持つことができます。中に折入れた上部で中に入っている物を隠せます
【請求項２】
バッグ中央部の脇の中央部分についているショルダー掛けループにショルダーベルトのＪ型管をつけて肩に掛けたり、斜め掛けにしたり出来ます。又、中に入れる物が長いときショルダー掛けにしたままバックにはいる大きさの物であればトートバッグより少し長めの物も入れられます。
【考案の詳細な説明】
【考案の詳細な説明】
【０００１】本考案は、バックに関するものであり、持ち手を二カ所に付ける事により、バッグの大きさを自体変えてもつことができます。
【背景技術】
【０００２】従来このようなバッグとしては、例えば、実用新案登録第３０６１７５２号公報に開示された袋体が従来例として知られている。【０００３】この従来例の袋体は上部の持ち手にスナップが付けてありこれを付けたり，はずしたりして大きさに合わせていました。
【考案が解決しようとする課題】
【０００４】元来のバッグではいつも、中に入れるものが大きくても、小さくてもバックの大きさは、いつも同じ大きさで変わりませんでした。又、大きさを変えようとするとスナップをとったり、はめたりしなければならなかったり、まるで形をかえなければいけませんでした。
【課題を解決する為の手段】
【０００５】このバックは、中に入れるものが小さくなった時は上の部分を中に折りたたんでやや中央部分の持ち手を持ち  小さくすることができます。また、上の部分を前ｏｒ後ろに倒して中央脇にあるループにショルダーベルトをつけて肩に掛けて持ったり、斜めがけにしたりする事ができます。
【考案を実施するための最良の形態】
【０００６】（図２）のように上半分を中に折入れることによってバックの中に入っている物を隠すことができます。
それに中央部分の持ち手の下に数本のピンタックがあって膨らんだ物を入れることができます。
従来は、ショルダーベルトを付けてもバッグの大きさを変えることは出来ませんでした。
【実施例】
【０００７】以下、添付け図面に従って一実施例を説明する。ｏは持ち手の裏部分グログランリボンで、ここにきれいな配色を持ってくることができます。１は、革の持ち手です。２は、バッグ本体の上部です。３は、二つ目の革の持ち手です。この裏にきれいな色のグログランリボンを張り付けて配色にできます。４は、バッグ本体の下部です。これは二つ目の取手の下の所から数本のピンタックがあって少しふくれた物でも入れられます。５は、バッグ下部の脇です。６は、バッグ本体の上部です。７は、中央に付けてあるショルダーベルトを取り付けるループである。８は、底の部分である。９は、ショルダーベルトに付いたＪ型管である。１０は、二つ目の３と同じ持ち手である。１１は、革のショルダーベルトである。
【考案の効果】
上述の様に、本考案の持ち手が二つあるトートバッグは従来の持ち手を持ったときと又、中間の持ち手で上部の部分を中に、そしてループにショルダーベルトをつけて上部の部分前に折って持つことができます。そしてバッグを小さめにしたときは上部の部分でバッグの中身を隠すことができます。
この物達すべてを綺麗な色にしたり、チェックにしたり、または、水玉にしたり等々色々な表情が出すことが出来ます。
【図面の簡単な説明】
【図１】本考案に係るバッグの斜視図である。
【図２】バッグの上部を下部の中に入れ込んだところ
【図３】バッグを半分の大きさにして約中央部分にある持手を持った斜視図である。
【図４】バック本体を（図２）と同じように中側に折り込んで脇についているループにＪ型管を掛けてショルダーベルトをつけた斜視図である。
【図５】上部を前に倒し、ショルダーベルトをつけた斜視図である。
【図６】本考案のバッグにバッグよりある程度長い物を入れてショルダーベルトをつけた斜視図である。
【符号の説明】
０．    バックの持ち手の裏グログランリボン
１．    バックの持ち手の表は革
２．    本体の上部である
３．    中間部分の持ち手である
４．    本体の下部である
５．    本体の下部の脇部分である
６．    本体上部の裏部分である
７．    ショルダーベルトのＪ型管を掛けるためのループ
８．    底面である
９．    ショルダーベルトのＪ型管である
１０．    中央部反対側の持ち手である
１１．    革のショルダーベルトである
１２．    中地の裏地部分である
0003105000.tif 000002
【図１】
0003105000.tif 000003
【図２】
0003105000.tif 000004
【図３】
0003105000.tif 000005
【図４】
0003105000.tif 000006
【図５】
0003105000.tif 000007
【図６】
0003105000.tif 000008
【手続補正書】
【提出日】平成16年6月24日(2004.6.24)
【手続補正１】
【補正対象書類名】実用新案登録請求の範囲
【補正対象項目名】全文
【補正方法】変更
【補正の内容】
【実用新案登録請求の範囲】
【請求項１】
バック本体に、上部の持ち手と中央部の持ち手とが設けられていることを特徴とするトートバック。
【請求項２】
バック本体中央部の脇の中央部分についているショルダー掛けループにショルダーベルトのＪ型管がつけられていることを特徴とする請求項１に記載のトートバック。
【手続補正２】
【補正対象書類名】明細書
【補正対象項目名】全文
【補正方法】変更
【補正の内容】
【考案の詳細な説明】
【技術分野】
【０００１】
本考案は、トートバックに係り、特にバックの大きさを変えて持つことができるトートバックに関する。
【背景技術】
【０００２】
従来、このようなバックとしては、上部の持ち手にスナップが付け、これを付けたり、外したりして、大きさに合わせるものが知られている（例えば、特許文献１参照）。
また、従来、トートバックは、ショルダーベルトを付けても、バックの大きさを変えることができなかった。
【０００３】
【特許文献１】実用新案登録第３０６１７５２号公報
【考案の開示】
【考案が解決しようとする課題】
【０００４】
しかしながら、元来のトートバックでは、中に入れるものが大きくても、小さくても、バックの大きさはいつも同じ大きさで変わらなかった。また、大きさが変えられる上述の従来のバックでは、大きさを変えようとすると、スナップをとったり、はめたりしなければならなかったり、まるで形をかえなければならなかった。
【０００５】
本考案は、前記事情に鑑みて為されたもので、中に入れるものが小さくなった時、バックを小さくして持つことができるトートバックを提供することを目的とする。
【課題を解決するための手段】
【０００６】
前記目的を達成するために、請求項１に記載のトートバックは、バック本体に、上部の持ち手と中央部の持ち手とが設けられていることを特徴とする。
【０００７】
請求項２に記載トートバックは、請求項１に記載の考案において、バック本体中央部の脇の中央部分についているショルダー掛けループに、ショルダーベルトのＪ型管がつけられていることを特徴とする。
【考案の効果】
【０００８】
請求項１に記載のトートバックによれば、バックの中に入れるものが小さくなった時は、上の部分を中に折りたたんで中央部の持ち手を持ち、小さくすることができる。また、上半分を中に折入れることによってバックの中に入っている物を隠すことができる。
【０００９】
請求項２に記載のトートバックによれば、上の部分を前あるいは後ろに倒して、ショルダーベルトをつけて肩に掛けて持ったり、斜めがけにしたりすることができる。
【考案を実施するための最良の形態】
【００１０】
以下、本考案の実施の形態を図面に基づいて説明する。
図１は、本考案に係る布製トートバックの斜視図であり、図２は、バック本体の上部を下部の中に入れ込んだ状態の斜視図であり、図３は、バック本体を半分の大きさにして約中央部分にある持ち手を持った状態の斜視図であり、図４は、バック本体の上部を下部の中に折り込んで、脇についているループにＪ型管を掛けてショルダーベルトをつけた状態の斜視図であり、図５は、バック本体の上部を前に倒し、ショルダーベルトをつけた状態の斜視図であり、図６は、本考案に係るトートバックにバックよりある程度長い物を入れて、ショルダーベルトをつけた状態の斜視である。
【００１１】
これらの図において、符号０は、持ち手の裏部分のグログランリボンで、ここにきれいな配色を持ってくることができる。１は、革の持ち手であり、２は、バック本体の上部であり、３は、二つ目の革の持ち手である。この裏にきれいな色のグログランリボンを張り付けて配色できる。４は、バック本体の下部であり、これには二つ目の持ち手３の下の所から数本のピンタックがあって、少しふくれた物でも入れることができる。５は、バック本体の下部の脇である。６は、バック本体の上部である。７は、中央に付けてあるショルダーベルトを取り付けるループである。８は、底の部分である。９は、ショルダーベルトに付いたＪ型管である。１０は、二つ目の持ち手３と同じ持ち手である。１１は、革のショルダーベルトである。
【００１２】
上述のように、持ち手が二つあるトートバックは、従来のトートバックにも設けられている上部の持ち手で持つことができ、またバック本体の上部の部分を中に入れて、中間の持ち手で持つことができる。
また、図２のように、上半分を中に折り入れることによって、トートバックの中に入っている物を隠すことができる。
さらに、ループにショルダーベルトをつけて、バック本体の上部の部分を前に折って持つことができる。従来は、トートバックは、ショルダーベルトを付けても、バックの大きさを変えることができなかった。
また、中に入れる物が長いときでも、ショルダー掛けにしたままバックに入る大きさの物であれば、トートバックより少し長めの物も入れられる。
また、中央部分の持ち手の下に数本のピンタックがあって、膨らんだ物を入れることができる。
このトートバックの部品すべてを綺麗な色にしたり、チェックしたり、または水玉にしたり等々色々な表情を出すことができる。
【図面の簡単な説明】
【００１３】
【図１】本考案に係る布製トートバックの斜視図である。
【図２】バック本体の上部を下部の中に入れ込んだ状態の斜視図である。
【図３】バック本体を半分の大きさにして約中央部分にある持ち手を持った状態の斜視図である。
【図４】バック本体の上部を下部の中に折り込んで、脇についているループにＪ型管を掛けてショルダーベルトをつけた状態の斜視図である。
【図５】バック本体の上部を前に倒し、ショルダーベルトをつけた状態の斜視図である。
【図６】本考案に係るトートバックにバックよりある程度長い物を入れて、ショルダーベルトをつけた状態の斜視である。
【符号の説明】
【００１４】
０    バックの持ち手の裏グログランリボン
１    バックの持ち手
２    バック本体の上部
３    中間部分の持ち手
４    バック本体の下部
５    バック本体の下部の脇部分
６    バック本体上部の裏部分
７    ショルダーベルトのＪ型管を掛けるためのループ
８    底面
９    ショルダーベルトのＪ型管
１０    中央部反対側の持ち手
１１    ショルダーベルト
１２    中地の裏地部分
【手続補正３】
【補正対象書類名】図面
【補正対象項目名】全図
【補正方法】変更
【補正の内容】
【図１】
0003105000.tif 000009
【図２】
0003105000.tif 000010
【図３】
0003105000.tif 000011
【図４】
0003105000.tif 000012
【図５】
0003105000.tif 000013
【図６】
0003105000.tif 000014